(57)【要約】【課題】就寝姿勢が違和感なくとれるとともに床ずれの発生がない排泄物処理装置を提供する。【解決手段】所定厚みを備え弾力性を持つ床づれ防止マット５０と、床づれ防止マット５０に凹設され、内部にたまる排泄物を取り出し可能とする排泄物受け部７０、８０と、床づれ防止マット５０上の人からの排泄物を排泄物受け部７０、８０に導く排泄物案内部１、６０とを備えてなることを特徴とする排泄物処理装置。【選択図】図１
2009006108.tif 000002
【特許請求の範囲】
【請求項１】
所定厚みを備え弾力性を持つ床づれ防止マットと、
前記床づれ防止マットに凹設され、内部にたまる排泄物を取り出し可能とする排泄物受け部と、
前記床づれ防止マット上の人からの排泄物を前記排泄物受け部に導く排泄物案内部と、
を備えてなることを特徴とする排泄物処理装置。
【発明の詳細な説明】
【技術分野】
【０００１】  この発明は、寝たきりの要介護者等に用いる排泄物処理装置に関する。
【背景技術】
【０００２】  自立できず寝たきりとなった要介護者の場合、介護に際しその排泄物の処理に非常に労力を要する。そこで、最近においては排泄物の処理が自動的になされる装置が提供されている。この装置は排泄物を受け具で受け、それを外部に排出処理するとともに、人体の排泄機能部を洗浄するものであり、受け具は常時人体の排泄機能部に装着された状態で用いられる。
【発明の開示】
【０００３】  しかしながら、現状の装置は排泄物の受け具が大きく、かつ、それがプラスチック等の固形の成形品よりなるので、常時人体の排泄機能部に装着された状態で用いられると、それが邪魔となって自然な就寝姿勢がとりにくいとともに寝返り等も行いにくく、その結果、要介護者は十分な睡眠、休養が取れないという問題が生じた。また、寝たきりの要介護者の場合、常に腰部や臀部における床ずれの問題があるが、臀部の固形の受け具が当たっている部所にさらに床ずれが発生しやすくなる問題もあった。
【特許文献１】特開２００２−５８６９２
【発明が解決しようとする課題】
【０００４】  この発明は、就寝姿勢が違和感なくとれるとともに床ずれの発生がない排泄物処理装置を提供する。
【課題を解決するための手段】
【０００５】  この発明では、所定厚みを備え弾力性を持つ床づれ防止マットと、前記床づれ防止マットに凹設され、内部にたまる排泄物を取り出し可能とする排泄物受け部と、前記床づれ防止マット上の人からの排泄物を前記排泄物受け部に導く排泄物案内部とを備えてなることを特徴とする排泄物処理装置を提供する。
【０００６】  この発明によれば、要介護者からの排泄物は排泄物案内部を通して床ずれ防止マット内の排泄物受け部に至り、そこから取り出されて廃棄される。排泄物は直接に排泄物受け部に至るので、従来の装置のように排泄物受け具が要介護者の腰部、臀部の下部に固定的に設けられることがなく、要介護者の就寝姿勢が邪魔されることがなく、寝返り等も容易に行える。くわえて、ポンプ等の排泄物の排出機構も必要としない。
【発明の効果】
【０００７】
【０００８】  この発明によれば、就寝姿勢が違和感なくとれるとともに床ずれが軽減される快適に使用できる排泄物処理装置が得られる。また、ポンプ等の排泄物の排出機構も必要としない構成が簡単で静粛な排泄物処理装置が得られる。
【発明を実施するための最良の形態】
【０００９】  図１はこの発明の排泄物処理装置Ｈの分解斜視図、図２は同使用時における断面図である。【００１０】  １はオムツマットで全体がプラスチックス製で通常は扁平であり、中央部３に排泄物の落下穴２が設けられ、先端部分４を残すほぼ全体の部分の内部に一体に連続する空気充填用スペース５を備え、７はその空気充填用スペース５内への空気導入用パイプである。先端部分４、両端部分９、９のそれぞれには固定用面バンド１０のそれぞれが取り付けられている。落下穴２の先端側にはアダプター２０が装着され、このアダプター２０部分に  洗浄用パイプ２４と乾燥用パイプ２６とがそれぞれ接続されている。２８は臭気センサである。【００１１】  ５０は床づれ防止マットとしてのエアーマット、６０は弾性ゴム材よりなる連結用のジャバラ管、７０は排泄物の受け管、８０は排泄物の取り出し具であり、ジャバラ管６０、受け官７０、取り出し具８０のそれぞれはエアーマット５０に凹設され溝５１内に配置される。取り出し具８０はその先端の排泄物の受け部８１が受け管７０内に収められ、取っ手８２が持たれることで溝５１を通してエアーマット５０内から外部に引き出せるようになっている。受け部８１には排泄物を収納する袋８３が取り付けられている。上記オムツマット１とジャバラ管６０とにより排泄物案内部が構成され、上記受け管７０と取り出し具８０とにより排泄物受け部が構成される。【００１２】  オムツマット１はその落下穴２がジャバラ管６０上に位置するようにエアーマット５０上に敷設され、その基部１５上に人体の胴部及び臀部が載せられた状態において先端部分４側が人体の股間位置において上側に折り返され、それが両端部分９それぞれと重ね合わされて固定用面バンド１０それぞれで固定されて人体に装着される。オムツマット１の排泄物の落下穴２の下面側周縁とジャバラ管６０の上部周縁とは固定片９０それぞれにより挟持されることで互いに密着し、ジャバラ管６０の下部周縁と受け管７０の上部周縁とは固定片９１それぞれにより挟持されることで互いに密着する。【００１３】  この装着された状態において、空気充填用スペース５内の全体にエアーが流入されることで、図２に示すように、オムツマット１は全体が所定の形状に膨らみ人体の胴部、臀部、太もも上部に連続一体に密着する。この状態においては、人体の排泄機能部に臨む部分に排泄用空間１３が形成され、この排泄用空間１３はその連続する周囲部分が膨らんで人体に密着することで密閉された状態に設けられる。その際、要介護者が上向きである場合その腰部及び臀部は若干押し上げられ、かつ、弾力的に支持されて排泄が容易にできる姿勢となる。また、オムツマット１はその落下穴２部分が受け管７０側にジャバラ管６０を介して連結されているので、ある程度の寝返り等の人体の変位があった場合にもジャバラ管６０が湾曲変位することで外れることはなく、また、密着が緩むことがない。【００１４】  図３は上記排泄物処理装置Ｈを使用する自動排泄物処理装置４０の構成図である。空気導入用パイプ７、洗浄用パイプ２４、乾燥用パイプ２６のそれぞれにはポンプＰａ、Ｐｂ、Ｐｃのそれぞれが接続されている。空気導入用パイプ７にはさらに開閉弁４２が設けられ、���気導入用パイプの他端はエアーマット５０に接続されている。このような構成により開閉バルブ４２が開かれた際にはエアーマット５０内のエアーがその圧が大きいことで急激にオムツマット１内に流入してオムツマット１を膨らませるようになっており、ポンプＰａが作動されることでオムツマット１内のエアーはエアーマット５０内に強制的に送られ、かつ、開閉弁４２が閉じられることでオムツマット１はエアーの充填されない扁平状態に維持される。４４は乾燥空気加熱用のヒータである。洗浄用パイプ２４の端部には洗浄水タンクＴａが配置されている。３０は制御部であり、予め設定されたプログラムに基づいて自動排泄物処理装置４０の動作制御を行う。【００１５】  以下、自動排泄物処理装置４０の制御部３０の動作プログラムに基づく動作説明を行う。非排泄時にはオムツマット１は扁平な状態においてオムツカバーと同様に要介護者に装着されており、この状態においてオムツマット１は立体的に存在しないので要介護者の就寝姿勢を邪魔することがなく、寝返り等も容易に可能とする。何らかの排泄が始まりその臭気が臭気センサ２８で検知される、もしくは操作入力による作動開始指令があると、開閉弁４２が開かれてエアーマット５０内のエアーが瞬時にオムツマット１内に送りこまれ空気充填用スペース５内の全体に空気が導入されることで排泄用空間１３が所定位置に密閉状態に形成される。【００１６】  そして、ポンプＰｂが作動され、洗浄水タンクＴａからの洗浄湯水が洗浄用パイプ２４端から要介護者の排泄機能部に放出されて洗浄がなされ、これに伴い排泄用空間１３に排泄された排泄物と洗浄湯水とは落下穴２から自重によりジャバラ管６０を通して落下し、取り出し具８０の袋８３内に収められる。この際、オムツマット１は排泄用空間１３が密閉されていることで排泄物や洗浄湯水の外部への漏れ出しが確実に阻止される。【００１７】  排泄が終わり臭気センサ２８での検知がなくなると、ポンプＰｂは作動停止されるとともにヒータ４４とポンプＰｃとに作動信号が与えられ、これによりヒータ４４により加熱された乾燥風が乾燥用パイプ２６を通して排泄用空間１３内に送り込まれ、排泄用空間１３内と排泄機能部を含む人体の乾燥処理がなされる。そして、所定時間経過後ヒータ４４が停止されるとともにポンプＰｃが停止される。また、ポンプＰａが作動されてオムツマット１内のエアーがエアーマット５０側に排出された後開閉弁４２が閉じられ、これにより、オムツマット１も扁平な状態に復帰する。袋８３に収納された排泄物は取り出し具８０が引き出されることで取り出され、取り出し具８０は新たな袋８３が取り付けられて元の位置に納められる。【００１８】  図４は排泄物取り出し部の他の実施形態を示し、この実施形態ではエアーマット５０の溝５１内に複数個の受け具９３を並設し、移動することで順次使用できるようにしている。図５の実施形態では受け部１００に一体に排出路１０１を設け、排泄物が自ら外部に流出する構成としている。さらに、排泄物取り出し部に排泄物を収める袋を排泄物が入った段階で熱溶着により封止する機構、排泄物の固形剤を投入する機構を採用することで排泄物の処理が容易になり、また、臭気の拡散が防止され��ようになる。
【図面の簡単な説明】
【図１】この発明の排泄物処理装置の実施形態の分解斜視図
【図２】この発明の排泄物処理装置の実施形態の使用時の断面図
【図３】この発明の排泄物処理装置を使用する自動排泄物処理装置の構成図
【図４】この発明の排泄物処理装置の他の実施形態の平面構成図
【図５】この発明の排泄物処理装置のさらに他の実施形態の側面構成図
【符号の説明】
１      オムツマット（排泄物案内部）
５０    エアーマット（床ずれ防止マット）
６０    ジャバラ管（排泄物案内部）
７０    受け管（排泄物受け部）
８０    取り出し具（排泄物受け具）
【図１】
2009006108.tif 000003
【図２】
2009006108.tif 000004
【図３】
2009006108.tif 000005
【図４】
2009006108.tif 000006
【図５】
2009006108.tif 000007